(57)【要約】      （修正有）【課題】内部がハートアンドキューピッドである八角形ダイヤモンド構造を提供する。【解決手段】ガードルと、クラウンと、パビリオンと、を含む。クラウンは、正八角形のテーブル２１と、水平断面が正八角形であるクラウン底面２２と、を含む。テーブルの各辺２１１は、クラウン底面の断面辺２２１の方向に向かって八つの三角形であるスターファセット２３を形成する。隣接する二つのスターファセットは、クラウン底面の頂点２２２に向かって八つの四角形であるクラウンメインファセット２４を形成する。スターファセットのテーブルに対向する頂点２３１は、クラウン底面の方向に向かって延伸し、クラウン底面の辺２２３及び隣接するクラウンメインファセット２４１と十六の三角形であるアッパーガードルファセット２５とを形成する。パビリオンは、水平断面が正八角形であるパビリオンアッパー底面３１と、十六の三角形であるローワーガードルファセット３２と、八つのパビリオンメインファセット３３と、を含む。【選択図】図１
0003207081.tif 000002
【実用新案登録請求の範囲】
【請求項１】
ガードルと、ガードルより上のクラウンと、ガードルより下のパビリオンと、を含む、内部がハートアンドキューピッドである八角形ダイヤモンド構造において、
前記クラウンは、正八角形のテーブルと、水平断面が正八角形であるクラウン底面と、を含み、前記テーブルの各辺は、前記クラウン底面の断面辺の方向に向かって八つの三角形であるスターファセットを形成し、隣接する二つの前記スターファセットは、前記クラウン底面の頂点に向かって八つの四角形であるクラウンメインファセットを形成し、前記スターファセットの前記テーブルに対向する頂点は、前記クラウン底面の方向に向かって延伸し、前記クラウン底面の辺及び隣接するクラウンメインファセットと十六の三角形であるアッパーガードルファセットを形成し、
前記パビリオンは、水平断面が正八角形であるパビリオンアッパー底面と、前記三角形であるアッパーガードルファセットに対応する十六の三角形であるローワーガードルファセットと、前記ローワーガードルファセットに挟まれる八つのパビリオンメインファセットと、を含むことを特徴とする、内部がハートアンドキューピッドである八角形ダイヤモンド構造。
【請求項２】
前記パビリオンの下端には、パビリオンキューレットを更に含むことを特徴とする、請求項１に記載の内部がハートアンドキューピッドである八角形ダイヤモンド構造。
【請求項３】
前記十六の三角形であるアッパーガードルファセットは、形状が同一であり、大きさが同一であることを特徴とする、請求項１又は２に記載の内部がハートアンドキューピッドである八角形ダイヤモンド構造。
【請求項４】
前記十六の三角形であるローワーガードルファセットは、形状が同一であり、大きさが同一であることを特徴とする、請求項３に記載の内部がハートアンドキューピッドである八角形ダイヤモンド構造。
【請求項５】
前記ガードルは、高さがダイヤモンド構造全体の高さの１％〜３％であることを特徴とする、請求項４に記載の内部がハートアンドキューピッドである八角形ダイヤモンド構造。
【請求項６】
前記パビリオンメインファセットとガードルの水平断面間のパビリオン角の角度は、４０．６°〜４１．３°であることを特徴とする、請求項４に記載の内部がハートアンドキューピッドである八角形ダイヤモンド構造。
【請求項７】
前記クラウンメインファセットとガードルの水平断面間のクラウン角の角度は、３２°〜３５．５°であることを特徴とする、請求項４に記載の内部がハートアンドキューピッドである八角形ダイヤモンド構造。
【請求項８】
前記テーブルは、面積が前記クラウン底面の面積の５５％〜６２％であることを特徴とする、請求項４に記載の内部がハートアンドキューピッドである八角形ダイヤモンド構造。
【考案の詳細な説明】
【技術分野】
【０００１】
本考案は、ダイヤモンド構造に関し、特に内部がハートアンドキューピッドである八角形ダイヤモンド構造に関する。
【背景技術】
【０００２】
人々の生活水準の向上に伴い、宝石・ジュエリーは、装飾品として益々広く使用され、とりわけダイヤモンドの装飾品が際立つ。特に、ダイヤモンドリングは、通常の装飾品として装飾機能を除き、結婚などにおいて一般の装飾品に備えない意義を持つ。ダイヤモンドのカッティング技術の益々の発展につれて、光線の屈折や反射を経てダイヤモンドの内部でハートアンドキューピッドの輝きを出すダイヤモンドは、人々から深く好かれている。
【０００３】
ダイヤモンドは、クラウンと、ガードルと、パビリオンと、からなり、ガードルがダイヤモンドの中で一番幅の大きい部分である。従来技術において、ハートアンドキューピッドのダイヤモンドの多くは、標準の円形カッティングが行われており、即ち、ダイヤモンドのガードルの水平断面が円形である。標準の円形カッティングをしたダイヤモンドは、通常そのテーブルが大きく、ダイヤモンドのファイヤに影響を与える。
【０００４】
出願人である広東鑽石世家国際珠石有限公司は、特許文献１において、クラウンメインファセットが八角形の辺に位置する八角形のダイヤモンド構造を提案した。このようなハートアンドキューピッドのダイヤモンド構造において、アローの位置がダイヤモンドの辺に位置し、効果が理想的ではなく、セッティング技術に対する要求が比較的高い。
【先行技術文献】
【特許文献】
【０００５】
【特許文献１】中国実用新案公告第２０２６９７９８０号明細書
【考案の概要】
【考案が解決しようとする課題】
【０００６】
本考案の目的は、ファイヤが優れ、且つセッティングが行われやすい内部がハートアンドキューピッドである八角形ダイヤモンド構造を提供することである。
【課題を解決するための手段】
【０００７】
上述の目的を実現するために、本考案は、以下の技術手段を採用する。
【０００８】
ガードルと、ガードルより上のクラウンと、ガードルより下のパビリオンと、を含む、内部がハートアンドキューピッドである八角形ダイヤモンド構造において、前記クラウンは、正八角形のテーブルと、水平断面が正八角形であるクラウン底面と、を含み、前記テーブルの各辺は、前記クラウン底面の断面辺の方向に向かって八つの三角形であるスターファセットを形成し、隣接する二つの前記スターファセットは、前記クラウン底面の頂点に向かって八つの四角形であるクラウンメインファセットを形成し、前記スターファセットの前記テーブルに対向する頂点は、前記クラウン底面の方向に向かって延伸し、前記クラウン底面の辺及び隣接するクラウンメインファセットと十六の三角形であるアッパーガードルファセットを形成し、前記パビリオンは、水平断面が正八角形であるパビリオンアッパー底面と、前記三角形であるアッパーガードルファセットに対応する十六の三角形であるローワーガードルファセットと、前記ローワーガードルファセットに挟まれる八つのパビリオンメインファセットとを含む。
【０００９】
前記パビリオンの下端には、パビリオンキューレットを更に含むことが好ましい。
【００１０】
前記十六の三角形であるアッパーガードルファセットは、形状が同一であり、大きさが同一であることが好ましい。
【００１１】
前記十六の三角形であるローワーガードルファセットは、形状が同一であり、大きさが同一であることが好ましい。
【００１２】
前記ガードルは、高さがダイヤモンド構造全体の高さの１％〜３％であることが好ましい。
【００１３】
前記パビリオンメインファセットとガードルの水平断面間のパビリオン角の角度は、４０．６°〜４１．３°であることが好ましい。
【００１４】
前記クラウンメインファセットとガードルの水平断面間のクラウン角の角度は、３２°〜３５．５°であることが好ましい。
【００１５】
前記テーブルは、面積が前記クラウン底面の面積の５５％〜６２％であることが好ましい。
【考案の効果】
【００１６】
本考案によれば、クラウン底面の水平断面が正八角形であるため、ダイヤモンドのテーブルの面積が相対的に小さく、優れたファイヤが得られる。また、クラウンメインファセットがクラウン底面の頂点まで延伸するため、アローの形状が八角形の頂点に向かうことになり、本考案の内部がハートアンドキューピッドである八角形ダイヤモンド構造のセッティングは、行われやすい。
【図面の簡単な説明】
【００１７】
【図１】本考案の内部がハートアンドキューピッドである八角形ダイヤモンド構造の斜視図である。
【図２】本考案の側面図である。
【図３】本考案のクラウン平面構造模式図である。
【図４】本考案の底面構造模式図である。
【図５】図１におけるＡ−Ａ’線の断面図である。
【考案を実施するための形態】
【００１８】
図５に示すように、本考案の内部がハートアンドキューピッドである八角形ダイヤモンド構造は、ガードル１０と、ガードル１０より上のクラウン２０と、ガードル１０より下のパビリオン３０と、を含む。
【００１９】
図１乃至図３に示すように、クラウン２０は、正八角形のテーブル２１と、水平断面が正八角形であるクラウン底面２２と、を含む。テーブル２１の各辺２１１は、クラウン底面２２の断面辺２２１の方向に向かって八つの三角形であるスターファセット２３を形成する。隣接する二つのスターファセット２３は、前記クラウン底面の頂点２２２に向かって八つの四角形であるクラウンメインファセット２４を形成する。スターファセット２３のテーブル２１に対向する頂点２３１は、クラウン底面２２の方向に向かって延伸し、クラウン底面の辺２２３及び隣接するクラウンメインファセット２４１と十六の三角形であるアッパーガードルファセット２５を形成する。
【００２０】
図１、図２、図４に示すように、パビリオン３０は、水平断面が正八角形であるパビリオンアッパー底面３１と、三角形であるアッパーガードルファセット２５に対応する十六の三角形であるローワーガードルファセット３２と、ローワーガードルファセット３２に挟まれる八つのパビリオンメインファセット３３と、を含む。ダイヤモンドが比較的大きくなると、パビリオン３０の下端には、パビリオンキューレット３４を更に含む。
【００２１】
本実施例において、十六の三角形であるアッパーガードルファセット２５は、形状が同一であり、大きさが同一である。他の実施例において、十六の三角形であるアッパーガードルファセットの形状と大きさは、多少異なってもよい。
【００２２】
本実施例において、十六の三角形であるローワーガードルファセット３２は、形状が同一であり、大きさが同一である。他の実施例において、十六の三角形であるローワーガードルファセットの形状と大きさは、多少異なってもよい。
【００２３】
ガードル１０の高さがダイヤモンド構造全体の高さの１％〜３％であると、ダイヤモンドは、比較的優れた輝き効果及びファイヤを有する。
【００２４】
図５に示すように、パビリオンメインファセット３３とガードルの水平断面１１とのパビリオン角αの角度が、４０．６°〜４１．３°であると、ダイヤモンドは、比較的優れた輝き効果及びファイヤを有する。クラウンメインファセット２４とガードルの水平断面１１とのクラウン角βの角度が、３２°〜３５．５°であると、ダイヤモンドは、比較的優れた輝き効果及びファイヤを有する。
【００２５】
テーブル２１の面積が前記クラウン底面の面積の５５％〜６２％であると、ダイヤモンドは、比較的優れた輝き効果及びファイヤを有する。
【００２６】
以上、本考案の好適な実施例であり、これを持って本実用新案権の範囲を限定するというわけではない。本考案の明細書及び添付図面の内容を利用して為した同等効果の構造や同等効果のフローの変更、又は、他の関連する技術分野において直接又は間接に活用することは、いずれも本実用新案権の保護範囲内に含まれる。
【図１】
0003207081.tif 000003
【図２】
0003207081.tif 000004
【図３】
0003207081.tif 000005
【図４】
0003207081.tif 000006
【図５】
0003207081.tif 000007